(57)【要約】    【課題】  指導料の請求を適切に行うことのできる機能を備えた医療用事務処理装置を提供する。    【解決手段】  患者データ欄、診察データ欄、指導料データ欄を含む診察情報登録画面を表示する表示手段１と、病名データ、及び、該病名データに対応する指導料データを備えた指導料算定マスタを記憶する記憶手段３と、患者の病名データに基づいて、前記指導料算定マスタを参照することにより、対応する指導料データを抽出し、抽出した指導料データが複数ある場合、点数の高い順に並び替えて前記表示手段の診察情報登録画面の指導料データ欄に表示させる制御手段４とを備えた構成とする。【選択図】  図１
2005292917.tif 000002
【特許請求の範囲】
【請求項１】
患者データ欄、診察データ欄、指導料データ欄を含む診察情報登録画面を表示する表示手段と、
病名データ、及び、該病名データに対応する指導料データを備えた指導料算定マスタを記憶する記憶手段と、
患者の病名データに基づいて、前記指導料算定マスタを参照することにより、対応する指導料データを抽出し、抽出した指導料データが複数ある場合、点数の高い順に並び替えて前記表示手段の診察情報登録画面の指導料データ欄に表示させる制御手段とを備えたことを特徴とする医療用事務処理装置。
【請求項２】
患者データ欄、診察データ欄、指導料データ欄を含む診察情報登録画面を表示する表示手段と、
病名データ、及び、該病名データに対応する指導料データを備えた指導料算定マスタと、過去に算定された指導料データとを記憶する記憶手段と、
患者の病名データに基づいて、前記指導料算定マスタを参照することにより、対応する指導料データを抽出し、該指導料データと、前記記憶手段に記憶した過去の指導料データとを時系列で並び替え、前記表示手段に最も近い順に表示させる制御手段とを備えたことを特徴とする医療用事務処理装置。
【請求項３】
前記制御手段は、抽出した指導料データがある場合、電子カルテが起動される電子カルテ用端末に指導料を要請するためのメッセージを表示させ、電子カルテで指導したことが記録されることにより、レセプトでの請求を許可することを特徴とする請求項１又は２に記載の医療用事務処理装置。
【発明の詳細な説明】
【技術分野】
【０００１】
本発明は、医療用事務処理装置に関するものである。
【背景技術】
【０００２】
従来、レセプトの発行が完了した患者に関しては、レセプト発行済みである情報を付加してレセプトの重複発行をしないようにする機能を備えた装置が提案されている（例えば、特許文献１参照）。
【０００３】
【特許文献１】特開平１１−３１１７４号公報
【発明の開示】
【発明が解決しようとする課題】
【０００４】
しかしながら、前記装置では、レセプトの請求が重複しないようになっているだけであり、請求項目が複数ある場合の請求方法についてまでは言及されていない。例えば、指導料を請求する場合、その種類の違いにより請求金額が相違するが、保険料の支払いを請求できるのはそのうちの１つとされている。この場合、本来ならば請求可能な金額を請求し損ねる恐れがある。
【０００５】
そこで、本発明は、指導料の請求を適切に行うことのできる機能を備えた医療用事務処理装置を提供することを課題とする。
【課題を解決するための手段】
【０００６】
本発明は、前記課題を解決するための手段として、
医療用事務処理装置を、
患者データ欄、診察データ欄、指導料データ欄を含む診察情報登録画面を表示する表示手段と、
病名データ、及び、該病名データに対応する指導料データを備えた指導料算定マスタを記憶する記憶手段と、
患者の病名データに基づいて、前記指導料算定マスタを参照することにより、対応する指導料データを抽出し、抽出した指導料データが複数ある場合、点数の高い順に並び替えて前記表示手段の診察情報登録画面の指導料データ欄に表示させる制御手段とを備えた構成としたものである。
【０００７】
この構成により、レセプトで指導料を請求できるものについては、病名データに基づいて漏れなく把握することができ、しかも最も点数の高いものがどの指導料であるのかの判断を容易に行うことが可能となる。
【０００８】
また、本発明は、前記課題を解決するための手段として、
医療用事務処理装置を、
患者データ欄、診察データ欄、指導料データ欄を含む診察情報登録画面を表示する表示手段と、
病名データ、及び、該病名データに対応する指導料データを備えた指導料算定マスタと、過去に算定された指導料データとを記憶する記憶手段と、
患者の病名データに基づいて、前記指導料算定マスタを参照することにより、対応する指導料データを抽出し、該指導料データと、前記記憶手段に記憶した過去の指導料データとを時系列で並び替え、前記表示手段に最も近い順に表示させる制御手段とを備えた構成としたものである。
【０００９】
この構成により、レセプトで指導料を請求できるものについては、過去に記憶したものも含めて漏れなく把握することができ、しかも最も請求される頻度の高い最新の指導料から表示することが可能となる。
【００１０】
前記制御手段は、抽出した指導料データがある場合、電子カルテが起動される電子カルテ用端末に指導料を要請するためのメッセージを表示させ、電子カルテで指導したことが記録されることにより、レセプトでの請求を許可するのが好ましい。
【００１１】
この構成により、医師が患者への指導をし忘れることがなくなり、しかもレセプトを医師による指導が確実に行われることなく請求できなくなり、手続きを確実なものとすることが可能となる。
【発明の効果】
【００１２】
本発明によれば、患者の病名データに基づいて指導料算定マスタを参照することにより、対応する指導料データを抽出するようにしたので、レセプトで指導料を請求できるものを書き落とすことがない。しかも、指導料の点数が高い順に並び替えるので、どの点数で請求すればよいのかの判断を簡単に行うことが可能となる。
【発明を実施するための最良の形態】
【００１３】
以下、本発明に係る実施形態を添付図面に従って説明する。
【００１４】
図１は、本実施形態に係る医療用事務処理装置を示す。この装置は、入出力制御のために、液晶ディスプレイ等の表示装置１、キーボード・マウス等の入力装置２、ハードディスク等の記憶装置３、及び中央処理装置（ＣＰＵ）４を備える。なお、５は、医療用事務処理装置とデータを送受信可能な電子カルテ用端末を示す。
【００１５】
表示装置１には、初期画面として、図２に示す受付業務画面が表示される。受付業務画面は、業務メニューバー１０、機能メニューバー１１、患者ＩＤ（identification）入力エリア１２、受付患者リスト１３、患者お知らせリスト１４、患者お知らせ情報詳細リスト１５、患者予約情報カレンダー１６、業務お知らせパネル１７、ステータスバー１８で構成されている。
【００１６】
業務メニューバー１０は、受付業務、会計業務、予約業務、調査業務、設定業務のいずれかに切り替えるために利用する。
【００１７】
機能メニューバー１１には、上方側に、患者ＩＤ検索ボタン、新患受付ボタン、急患受付ボタン、取消ボタン、新予約ボタンが設けられ、左側に、患者情報入力ボタン、問診情報入力ボタン、診察情報入力ボタン、調査ボタン、カルテ参照ボタンが設けられ、右側に、上移動ボタン、下移動ボタン、表更新ボタンが設けられている。
【００１８】
新患受付ボタンを操作すると、図３Ａに示す患者保険情報登録画面が表示される。ここで、画面選択タブとして表示される基本情報欄で保険の種類を選択すると、その下方側の表示が選択した保険に応じた表示に切り替わるので、保険者番号や患者負担率等を入力する。患者の保険者番号を入力すると、保険者情報が登録されているか否かが判断される。保険者情報が登録されていると判断すれば、その情報を取り込み、患者の生年月日から算出した年齢に基づいて負担率を割り出し、負担率入力部に割り出した値を表示する。一方、保険者情報が登録されていないと判断すれば、図３Ｂに示す保険マスタ登録画面を表示し、業者名、負担率等の入力を行う。この保険マスタ登録画面で業者名を入力することにより、業者毎の設定が可能となる。また、負担率も設定することができるので、法改正にも柔軟に対応することが可能である。
【００１９】
図３Ａの患者保険情報登録画面での入力が完了すると、図３Ｃに示す診察情報登録画面に切り替わる。診察情報登録画面は、患者情報表示部と診察情報入力部とを備えている。診察情報入力部で、診療科、医師等の入力を行う。また、診察情報登録画面の優先算定指導管理料欄には、後述するようにしてリストアップされた指導管理料がプルダウン表示される。なお、診察情報登録画面は、患者情報入力ボタンを操作することによっても表示可能である。
【００２０】
新予約ボタンを操作すると、図３Ｄに示す予約会計画面に切り替わり、会計患者表示リストすなわち診察が終了した会計待ちの患者の一覧表が表示される。また、左側に表示されるボタンは、会計ボタン、予約ボタン、カルテ参照ボタンに切り替わる。会計ボタンを操作すると、電子カルテに記録された内容に従って請求金額が算出される。予約ボタンを操作すると、予約カレンダーが表示され、担当医師の診察予約状況を見ながら予約を行うことが可能となる。カルテ参照ボタンを操作すると、その患者の電子カルテが別ウィンドウで表示され、記載内容を参照し、又、利用することが可能となっている。
【００２１】
診察情報入力ボタンを操作すると、図３Ｅに示す診察情報登録画面が別ウィンドウで表示される。
【００２２】
調査ボタンを操作すると、図３Ｆに示す調査画面が表示され、その患者について既に登録済みのデータから所望のデータを簡単に検索して参照することが可能となっている。
【００２３】
カルテ参照ボタン（図３Ａ中、カルテの略図と文字「カルテ」が表示されたボタン）を操作すると、受付画面とは別に、図３Ｇに示すカルテ参照画面を表示させることができる。これにより、例えば、診察情報入力ボタンを操作して、診察した医師の確認、初診／再診の判断、あるいは、診察の時間帯等を入力する際、同時に表示させたカルテ参照画面での表示内容を参照してコピー等により簡単に作業することが可能となる。なお、カルテ参照画面は、患者情報表示部、カルテ情報表示部、及び、表示切替操作部で構成されている。
【００２４】
患者ＩＤ入力エリア１２は、診察券をスキャナで読み取ることができない場合、キーボード等により直接患者ＩＤを入力するために利用される。
【００２５】
受付患者リスト１３は、受付番号、優先度区分、受付時刻、待ち時間、氏名、年齢、性別、状態、メモ、初／再、支払、検温、血圧、検尿、患者情報、問診情報の各列で構成されている。受付番号には、前記機能メニューバー１１で、患者ＩＤ検索ボタン等がクリックされることにより、順次自動的に付与される。優先度区分には、患者を診察する際の緊急度を示す表示が行われる。例えば、急患の場合には「至急」と表示される。受付時刻には、受付入力が完了した時点でのシステム時間が表示される。予約時間は、受付時刻の隣の（）括弧内に表示される。待ち時間には、システム時間から受付時刻を減算した結果が表示される。待ち時間が予め設定した時間を超えることにより、文字色を変更する等により強調表示される。氏名には、フリガナ及び漢字の両方で表示される。旧姓の登録がある場合、すなわち患者ＩＤが一致し、患者の姓カナが異なるレコードが存在する場合、その旧姓が（）括弧内に表示される。年齢は、システム日付と入力した生年月日とから算出され、○歳○ヶ月で表示される。但し、生後１ヶ月未満は○日で表示される。性別は、男女で文字色を異ならせて表示される。状態は、現在の患者の状態が表示される。具体的に、予約受付待ち、診察待ち、診察中、会計待ち、予約待ち、会計終了のいずれかが表示される。これらの表示は、全て文字色を異ならせて表示される。メモには、診察情報入力画面で入力した内容が表示される。初／再には、初診であるか再診であるかの別が表示される。支払には、自己負担区分が名称に変換して表示される。保険の場合、負担率が（）括弧内に表示される。自費の場合、掛け率が（）括弧内に表示される。検温、血圧、検尿には、事前に検査した結果がそのまま表示される。血圧、検尿の結果については、正常範囲を超える場合、強調表示される。患者情報には、患者情報の入力が完了した場合にのみ○が表示される。問診情報には、問診情報の入力が完了した場合にのみ○が表示される。
【００２６】
患者お知らせリスト１４は、受付患者リスト１３で選択された患者についての情報で構成されている。具体的には、保険証確認リスト、予約確認リスト、未収金リスト、患者テーブル／コメント等の各項目で構成されている。いずれかの項目をクリックして選択することにより（チェック欄にチェックが入る）、患者お知らせ情報詳細リスト１５に、クリックした項目に該当する内容が表示される。また、患者お知らせリスト１４には、例えば、本日の日付と患者の生年月日とから算出した患者の年齢と、前記患者情報登録画面で登録した負担率等とに基づいて患者の負担率が変更されたか否かを判断し、変更されていると判断すれば、その旨を警告するアラームが赤字で表示される。なお、この表示は、警告表示された患者の負担率を適正なものに変更することにより消去される。
【００２７】
患者お知らせ情報詳細リスト１５は、患者お知らせリスト１４で選択された項目に対する詳細情報で構成されている。保険証確認リストが選択された場合、保険証の記載内容の一部が一覧表示される。具体的には、種別、保険者番号、記号−番号、交付日、有効期限、続柄、負担の各項目が表示される。これら各項目が表示された行をダブルクリックすると、保険証のさらに詳細な内容が別ウィンドウで表示される。そこには、前記各項目のほかに、事業所名称、所在地、資格取得日、最終確認日や、被保険者、遠隔地証明書、高額医療費からなる詳細データが表示される。
【００２８】
患者予約情報カレンダー１６は、受付業務画面の右下に表示され、１ヶ月単位で表示を切り替えることができるようになっている。表示されたカレンダーでは、受付患者リスト１３で選択された患者について、過去の来院日が強調表示される。過去の来院日をクリックすることにより、受付時刻や受付メモの内容が表示される。なお、患者予約情報カレンダー１６は受付業務画面にボタンを設けて、このボタンがクリックされることによりポップアップ表示するようにしてもよい。
【００２９】
業務お知らせパネル１７には、システム全体用と窓口業務用のそれぞれについてお知らせメッセージを表示することができるようになっている。編集ボタンをクリックすることにより、編集画面を別ウィンドウで表示させて表示内容を編集することが可能となっている。システム全体用に入力したお知らせメッセージは接続される全端末（ここでは、電子カルテ用端末５が該当する。）に表示される。また、窓口業務用に入力したお知らせメッセージは前記表示装置１にのみ表示される。
【００３０】
ステータスバー１８には、操作上の補足説明、システムの動作状況、システム日付及びシステム時間が表示される。
【００３１】
入力装置２には、マウス、キーボード、ペンデバイス等が使用できる。ペンデバイスを使用する場合、ディスプレイをタッチパネルで構成する。
【００３２】
記憶装置３には、各種マスタファイル及び各種テーブルが記憶されている。
【００３３】
前記マスタファイルは、診療行為マスタ、医薬品マスタ、材料価格マスタ、病名コード変換マスタ、指導料算定マスタ、定型文コメントマスタ等で構成されている。
【００３４】
診療行為マスタには、例えば、患者に注射をする等の診療行為に関するデータが記憶されている。
【００３５】
医薬品マスタには、医薬品（薬剤）に関するデータ、例えば、医薬品名称、薬価、単位名称コード、単位数量等が記憶されている。
【００３６】
材料価格マスタには、手技等で使用する材料の価格、例えば、Ｘ線撮影で使用するフィルム等の価格が記憶されている。
【００３７】
病名コード変換マスタには、世界保健機構（ＷＨＯ）により定められた「疾病及び関係保健問題の国際統計分類第１０回修正」（International Statistical Classification of Diseases and Related Health Problems, Tenth Revison:ＩＣＤ−１０）のコード番号（ＩＣＤ−１０コード）と、レセプト電算コードとが一対一で対応させて記憶されている。
【００３８】
指導料算定マスタは、病名と、算定可能指導料及び点数と、算定条件とで構成されている。図３Ｈは、指導料算定マスタに登録されたデータの一部を示すものである。
【００３９】
定型文コメントマスタには、定型フォーマット、定型文コメント情報、設定値の計算方法が登録されている。これらは、後述するレセプトデータに関連付けされて記憶されており、あるレセプトデータに対して自動的に付与される。但し、自動付与するためのデータのないものについては、手動入力可能となっている。
【００４０】
各種テーブルは、受付テーブル、診療録テーブル、診療録解析結果テーブル、患者情報テーブル、算定結果履歴テーブル等で構成されている。
【００４１】
ＣＰＵ４は、前記入力装置２からの入力信号に基づいて、前記記憶装置３に記憶した各データを読み込んで、診療録解析部で受付業務を行い、算定制御部で会計業務を行う。
【００４２】
次に、前記医療用事務処理装置の動作について、受付業務と会計業務とに分けて説明する。
【００４３】
（受付業務）  受付業務では、受付業務画面で、患者の種類に応じて該当するボタンをクリックすることにより所定の入力を行う。ここでいう患者の種類とは、急患、新患、再来患者を意味する。
【００４４】
急患の場合、急患受付ボタンをクリックし、受付患者リスト１３に患者レコードを追加する。患者レコードの各フィールド（ここでは、受付番号、優先度区分、受付時刻）には次のように自動入力される。すなわち、受付番号には、本日の受付順に従って番号が自動付与される。この場合、急患の文字が赤色で強調表示される。なお、急患であるので、診察待ちの患者のうち、最も早い番号を付与するようにしてもよい。また、優先度区分には、「至急」の文字が赤色で表示される。また、受付時刻には、現在のシステム時間が入力される。そして、これらの入力データは、医師が使用する端末にインストールされている電子カルテに反映される。
【００４５】
新患の場合、新患受付ボタンをクリックし、図３Ａに示す患者保険情報登録画面を別ウィンドウで表示させる。患者情報登録画面では、基本情報の登録画面が初期表示されるので、患者の氏名や生年月日等を入力する。年齢は、入力された生年月日と本日の日付とから自動計算されて表示される。続いて、主保険タブを選択し、主保険情報を入力する画面を表示させる。図３は、基本情報入力後、主保険情報を入力する画面を表示させ、保険者番号を入力した状態を示している。入力した保険者番号で既に登録済みのデータがあれば、その他の項目に登録されているデータが自動的に表示される。負担率の項目には、患者の年齢から算出した値が自動入力される。一方、登録済みのデータがなければ、図３Ｂに示す保険マスタ登録画面が表示され、保険業者情報、負担率を設定する。負担率の設定は年齢の違いに応じた値に設定する。登録ボタンを操作して保険マスタ登録画面を閉じると、患者保険情報登録画面に登録内容が表示される。負担率の欄には、患者の年齢と、保険マスタ登録画面で設定した年齢別の負担率とから該当する負担率が表示される。また、イメージボタンを操作すれば、スキャナ等を使用して保険証の画像データを取り込むことが可能である。この保険証の画像データは、その後保険証の内容を確認する場合等に使用することができる。これにより、万一、入力ミス等があった場合でも、わざわざ患者に確認する必要がなくなる。図３Ａに示す患者保険情報登録画面での入力が完了すれば、登録ボタンを操作してこの画面を閉じ、図２に示す受付画面に復帰する。
【００４６】
このようにして患者の保険情報が登録されれば、一覧表の支払欄に該当する保険の種類と自己負担率とが表示される。また、次回からの受付時、本日の日付と患者の生年月日とから自己負担率が適切なものであるのか否かが判断される。例えば、５歳未満で負担率２０％と設定している場合、その患者が５歳を超えることにより、負担率を３０％とする必要が生じるので、患者情報詳細表示欄には負担率要修正の警告を赤字で表示する。但し、このような警告表示をせずに、自動的に負担率を変更し、患者情報詳細表示欄には、前回から負担率が変更されている旨の表示を行うようにしてもよい。
【００４７】
再来患者の場合、診察券がなければ、患者ＩＤボタンをクリックし、図４に示す患者ＩＤ検索画面を表示させる。患者の氏名、生年月日、電話番号等が分かれば、該当箇所に入力し、検索することにより患者ＩＤを特定することが可能である。電話番号等の入力により特定された患者と、現在受付中の患者とで、氏名のみが不一致である場合、結婚等で姓が変更されたと判断し、旧姓を（）括弧内に表示する。また、検索ボタンをクリックし、登録されている患者データを一覧表示させることも可能である。初期状態では、患者名が５０音順で表示されており、必要に応じて検索式を利用して患者ＩＤを特定することもできる。
【００４８】
診察券があれば、診察券をスキャナで読み取ることにより、患者ＩＤを特定する。但し、診察券をスキャナで読み取ることができない場合、直接、患者ＩＤを入力する。
【００４９】
患者ＩＤが特定されれば、既に登録されている患者データを呼び出し、前回の診察から３ヶ月が経過しているか否かを判断する。３ヶ月が経過していれば初診扱いとなり、経過していなければ、病名に対する転帰日が入力されていないことを条件として再診扱いとなる。この場合、カレンダーが別ウィンドウで表示され、来院履歴が一目で分かるようになっている。すなわち、前記患者が来院した日には、他の日と識別可能な表示となり、その日にマウスを移動させると来院時間がポップアップ表示されるようになっている。
【００５０】
また、初診の場合は、患者に問診票を記入してもらい、その内容を入力する。入力内容は、問診票情報として登録され、電子カルテに反映される。また、保険証があれば、その内容を入力する。保険証に家族名が記載されていれば、同時に入力する。これにより、例えば、家族の誰かが診察に来れば、保険証を持参していなくても、対応することができる。なお、以前、診察を受けたことがあれば、患者ＩＤ等から保険証の登録データを検索する。
【００５１】
以上の入力作業により受け付けが完了し、患者ＩＤと共に問診票の入力データ等が登録されれば、患者データが受付順に一覧表示される。診察は、この受付順に行われる。この場合、患者名（行）を選択し、受付順序を変更することにより、診察順序を変更することが可能となっている。
【００５２】
（会計業務）  会計業務では、図５に示すように、受付テーブル、診療録テーブル、及び、病名コード変換マスタから読み込んだデータに基づいて、図６に示すコード変換処理、図７に示すレセプト算定ロジック、図８に示す一部負担金作成処理、及び、図９に示す請求書データ作成処理を行う。
【００５３】
コード変換処理では、図６に示すように、まず、受付テーブル及び診療録テーブルから、診療報酬点数の算定に必要とされるデータを読み込む（ステップＳ１）。ここでは、受付テーブルから読み込んだ受付日付時（日付データ及び時刻データ）と患者ＩＤとに基づいて、診療録テーブルから、カルテに記録されたデータのうち、例えば、病名と処方した医薬品名を読み込む。そして、読み込んだデータを、病名コード変換マスタから読み込んだデータに基づいてコード変換する（ステップＳ２）。コード変換では、診療録テーブルから読み込んだＩＣＤ−１０コードをレセプト電算コードに変換する。そして、コード変換処理で変換されたデータを診療録解析結果テーブルに格納する（ステップＳ３）。以上は、改正等で、診療報償点数の算定方法が変更されたか否かに拘わらず共通の処理である。共通の処理をまとめて実行可能とすることにより、改正等の際、変更箇所のみの手直しで済み、容易かつ迅速に対応することが可能となる。
【００５４】
レセプト算定ロジックでは、図７Ａに示すように、患者ＩＤと、受付日付データとに基づいて、診療録解析結果テーブルに格納されたデータから、今月の１日から現在までの該当するデータを読み込む（ステップＳ１０）。そして、読み込んだデータに基づいて、診療行為マスタ、医薬品マスタ、及び、材料価格マスタを参照し、診療報酬点数算定処理を行う（ステップＳ１１）。続いて、算定結果を算定結果履歴テーブルに格納する（ステップＳ１２）。
【００５５】
診療報酬点数算定処理では、診断区分に応じて、初診料、再診料、指導料、在宅料、投薬料、注射料、処置料、手術料、麻酔料、検査料、画像診断料、リハビリ料等の計算等の処理を行う。
【００５６】
例えば、指導料計算処理では、図７Ｂに示すように、患者病名データ及び算定過去データに基づいて、指導料算定マスタを参照して算定可能指導料リスト選択処理を行う。処理結果は、図２Ｆに示す診察情報登録画面の優先算定指導管理料欄に表示する。過去に指導料を算定したことのない患者の場合、算定可能指導料リスト選択処理の結果、最も点数の高い指導料算定データを表示し、指導料を算定した実績がある患者の場合、最も近い指導料算定データを表示する。また、優先算定指導管理料欄は図７Ｃに示すようにプルダウン表示可能となっており、前者の場合、点数の高い順に表示し、後者の場合、指導料の算定時期の近い順に表示する。処理結果は指導要請データとして格納し、図７Ｄに示すように、電子カルテ用端末に表示されるカルテ診察画面にメッセージとして表示する。このメッセージに基づいて医師が患者に指導を行い、電子カルテに書き込みした場合にのみ、レセコンでの請求が可能となる。
【００５７】
前記算定可能指導料リスト選択処理では、患者の電子カルテに記載した病名コードの全てについて、順次、指導料算定マスタに照合して該当する全データをリストアップする。そして、リストアップしたデータを点数の高い順にソートする。
【００５８】
例えば、年齢２０歳のある患者について、内科及び小児科が専門である医師によって、病名として、胃癌（主病名）、高血圧症（主病名）、ＨＩＶ感染症、てんかん、悪性関節リウマチ、エリテマトーデスが挙げられている場合、指導料算定マスタに照合すると、点数の高いウイルス疾患指導料２、てんかん指導料、特定疾患療養指導料（診療所）の順でリストアップされる。胃癌（主病名）に対する小児悪性腫瘍患者指導管理料が対象外となっているのは、患者の年齢が２０歳だからである。また、悪性関節リウマチが対象外となっているのは、主病名でないからである。さらに、皮膚科特定疾患指導管理料（１）が対象外となっているのは、担当医師が内科及び小児科が専門だからである。
【００５９】
また、投薬量計算処理では、図１０のフローチャートに示すように、薬剤料、調剤料、処方料、麻毒加算、調基料を計算し、薬剤料については、逓減点数計算を行う（ステップＳ２０〜Ｓ２５）。
【００６０】
薬剤料計算では、図１１のフローチャートに示すように、ある患者についての全ての薬剤データを服用方法識別番号（服用方法の同じものに同一の番号が付与されている。）でソートし（ステップＳ３０）、メモリを初期化、すなわち服用方法識別番号の連番、薬価、内服薬種類を初期化した後（ステップＳ３１）、最終行になる（全薬剤データが終了する）まで（ステップＳ３２）、順次、各薬剤データを読み込む（ステップＳ３３）。そして、読み込んだ薬剤データに基づいて、その薬剤の単価に数量を乗算して薬価を算出する（ステップＳ３４）。薬剤データが複数あり、薬剤間で服用の仕方が相違する場合、前記服用方法識別番号が同じものを１グループとし、各グループ単位で計算を行う（ステップＳ３５，Ｓ３６，Ｓ３７）。各グループ単位で薬価の総計を算出した後（ステップＳ３８）、前記患者に処方される全ての薬剤について薬剤料点数を計算する（ステップＳ３９）。なお、内服薬については、その種類数を内服薬種類データとして格納する（ステップＳ４０）。
【００６１】
前記ステップＳ３９の薬剤料点数計算では、図１２のフローチャートに示すように、薬価の総計が１５円を超えるか否かを判断し（ステップＳ５０）、１５円を越える場合、合計薬価から５を減算し、１０で除算して得た値を小数点以下切り上げて１剤の点数とし（ステップＳ５１）、１５円以下の場合、一義的に１点とする（ステップＳ５２）。このようにして１剤分の点数が算定されれば、投与数を乗算して薬剤料を算定する（ステップＳ５３）。ここで、処方する薬剤が内服薬であるか否かを判断し（ステップＳ５４）、内服薬であれば、内服薬種類数計算を行う（ステップＳ５５）。
【００６２】
内服薬種類数計算では、図１３のフローチャートに示すように、ある患者に処方する薬剤のうち、服用方法が同じ薬剤単位で、薬価の総計が２０５円を超えるか否かを判断する（ステップＳ６０）。すなわち、用法が同じ場合、２０５円を目安として同一服用方法の薬剤について必要以上に処方数が多くなっていないか否かを判断し、不正な請求を防止する。そして、服用方法が同じ薬剤の薬価の総計が２０５円を越える場合、薬剤の種類数をそのままと判断し（ステップＳ６１）、２０５円以下の場合、１種類と判断する（ステップＳ６２）。
【００６３】
処方料計算では、内服薬が７種類以上か否か、患者が３歳未満か否か、あるいは、患者が特定疾患であるか否かで付与する点数を変更する。
【００６４】
麻毒加算では、麻薬、向精神薬、覚せい剤、毒薬のいずれかを含んでいれば、点数を加算する。
【００６５】
調基料計算では、薬剤師が常勤での勤務であるか否か等によって加算する点数を変更する。
【００６６】
逓減点数計算では、図１４のフローチャートに示すように、臨時投薬でない全ての内服薬について総計を算出する（ステップＳ７０）。そして、その内服薬が７種類以上であるか否かを判断し（ステップＳ７１）、７種類以上であれば、同一の処方で逓減点数が未算定であるか否かを判断する（ステップＳ７２）。内服薬が７種類以上で、逓減点数が未算定であるならば、薬剤料の合計に０．９を乗算し、小数点以下第１位を四捨五入する（ステップＳ７３）。続いて、ステップＳ７３で得られた値から薬剤料の合計を減算し、その値を薬剤料逓減点数とする（ステップＳ７４）。
【００６７】
具体的に、ある患者Ｘに、次表に示すＡ〜Ｇ薬剤（全て内服薬）を処方する場合について説明する。この場合、服用方法はＡ〜Ｃ、Ｄ〜Ｇがそれぞれ全て同じで、４日間の処方とする。
【００６８】
【表１】
2005292917.tif 000003
【００６９】
各薬剤についての１剤分の薬価に基づいて、今回処方されたＡ〜Ｇ薬剤について薬価の総計を算出する。例えば、Ａ薬剤では、１錠分の薬価は、９．７円であるので、処方される２錠分の薬価は１９．４円となる。以下、同様にしてＡ〜Ｃ薬剤、及び、Ｄ〜Ｇ薬剤の薬価をそれぞれ総計すると、２４８．６円、及び、２５０．５円となる。そこで、この総計に基づいて、ステップＳ５１で、１剤分の薬価を算出し、共に２５点を得る。したがって、４日分の処方であるので、合計は１００点となる。Ａ〜Ｇ薬剤は全て内服薬であるので、ステップＳ５５で内服薬種類数計算を行う。すなわち、薬価の総計が、２４８．６円、及び、２５０．５円で、判断基準となる２０５円をそれぞれ超えているので、処方数を３種類及び４種類と判断する。以下、調剤料、処方料、麻毒加算料、調剤基本料を、順次、算出して加算し、１４８点となる（これらの点数計算については、従来周知であるので、説明を省略する。）。そして、前述のように、内服薬が（３＋４）７種類であるので、逓減点数は、ステップＳ５１で算出した１００点に０．９を乗算し、１００を減算することにより得られる−１０点となり、薬剤料算出で得られる診療報酬点数は１３８点となる。
【００７０】
また、注射料計算処理では、図１５のフローチャートに示すように、薬剤料計算処理（ステップ２００）と手技料計算処理（ステップＳ２０１）とを実行する。薬剤料計算処理は前述の通りであるので、以下、手技料計算処理について説明する。
【００７１】
手技料計算処理は、図１６のフローチャートに示すように、全ての手技データを手技識別番号でソートし（ステップＳ２１０）、順次、データを読み込んで（ステップＳ２１１、Ｓ２１２）、手術との関連性についてチェックする（ステップＳ２１３，Ｓ２１４）。手術との関連性がある場合には点数計算は行わない。手術との関連性がない場合には点滴注射であるか否かを判断する（ステップＳ２１５）。点滴注射であれば、点滴手技料を計算し（ステップＳ２１６）、点滴注射でなければ、各種注射出料を計算する（ステップＳ２１７）。また、麻薬注射加算計算（ステップＳ２１８）、精密持続点滴注射加算計算（ステップＳ２１９）、及び生物学的製剤注射加算計算（ステップＳ２２０）を行う。
【００７２】
点滴手技料の計算は、図１７のフローチャートに示すように、まず、同一日付の既に算定済みの点滴手技料を取り消す（ステップＳ２３０）。そして、患者が６歳未満であるか否かを判断し（ステップＳ２３１）、６歳未満であれば、１日の点滴の総量が１００ｍｌ以上であるか否かを判断する（ステップＳ２３２）。１日の点滴の総量が１００ｍｌ以上であれば、点滴手技料を９５点とし（ステップＳ２３３）、１００ｍｌ未満であれば、４７点とする（ステップＳ２３４）。そして、同一日付で乳幼児加算されているか否かを判断し（ステップＳ２３８）、乳幼児加算されていなければ、２１点を加算する（ステップＳ２３９）。一方、患者が６歳以上であれば、１日の点滴の総量が５００ｍｌ以上であるか否かを判断する（ステップＳ２３５）。１日の点滴の総量が５００ｍｌ以上であれば、点滴手技料を９５点とし（ステップＳ２３６）、５００ｍｌ未満であれば、４７点とする（ステップＳ２３７）。
【００７３】
例えば、ある患者Ｙ（２８歳）が同一日付で、次表に示すように、Ａ薬剤の点滴注射を受け、手技料の算定が済んだ後で、Ｂ薬剤の点滴注射を受けた場合、点滴手技料の算出は次のようになる。
【００７４】
【表２】
2005292917.tif 000004
【００７５】
すなわち、ステップＳ２３０で、点滴手技料の４７点を取り消し、年齢が２８歳であるので、ステップＳ２３１からステップＳ９５に進む。そして、点滴の総量が６００ｍｌであるので、ステップＳ２３７に進み、点滴手技料として９５点を得る。
【００７６】
このように、点滴手技料の計算では、患者が６歳未満の乳幼児であるか否かのみならず、点滴が同一日付で複数回行われる場合も考慮されている。特に、複数回点滴される場合、常に先の点滴手技料を取り消し、再度総量を算出し直して点数計算するようにしている。したがって、適切に診療報酬点数を算出することが可能である。
【００７７】
図５に戻って、一部負担金作成処理では、図８に示すように、算定結果履歴テーブルに格納されたデータから該当する患者の１日分のデータを抽出する（ステップＳ１００）。続いて、抽出したデータ（診療報酬点数）に含まれる公費情報に基づいて、公費マトリックスを参照して対象となる公費を選択する対象公費選択処理を行う（ステップＳ１０１）。選択処理では、まず、最も優先度の高い公費を選択する。続いて、選択された公費との組み合わせが可能な公費を選択する。そして、選択されなかった公費を排除する。次いで、抽出したデータから患者情報（負担率及び負担金限度額）を抽出する（ステップＳ１０２）。また、前記ステップＳ１０１で選択した公費について、負担率に基づいて算出する公費と、負担率限度額に基づいて算出する公費とをそれぞれ求める（ステップＳ１０３）。そして、求めた計算結果のうち、低金額を選択し（ステップＳ１０４）、算定結果履歴テーブルに格納する（ステップＳ１０５）。
【００７８】
具体的に、一部負担金作成処理を行う場合について、公費マトリックスの一部を抜粋した図２２を参照して説明する。例えば、ある患者が、２７「老人」、１１「結核３５」、５１「特定疾患」の３つの条件を満足する場合、優先度の高い２７「老人」を選択する。そして、２７「老人」について、自己負担金の１割を計算する（例えば、１０００円）。また、２７「老人」は、公費マトリックスから１１「結核３５」、及び、５１「特定疾患」との組み合わせが可能である。１１「結核３５」と５１「特定疾患」とでは、１１「結核３５」が優先度が高いため、その自己負担金０円を採用する。最後に、２７「老人」で算出した自己負担金１０００円と、１１「結核３５」で算出した自己負担金０円とを比較し、低金額である０円を選択することにより自己負担金は不要となる。
【００７９】
なお、前記一部負担金作成処理では、図３Ａに示す患者保険情報登録画面で設定した負担率に従って負担金が算出されるが、患者の生年月日と本日の日付から負担率が適切であるか否かの判断を行う。そして、負担率が不適切であると判断した場合、その旨が図２に示す受付画面に表示される患者お知らせリスト１４に表示する。図２では、患者の年齢が小児負担率の対象から外れることにより、負担率が変更され、患者お知らせリスト１４に負担率用修正（現在（２０％）→一般（３０％））と表示された例が示されている。
【００８０】
再び図５に戻って、請求書データ作成処理では、図９に示すように、算定結果履歴テーブルから該当する患者の１月分のデータを抽出し（ステップＳ１１０）、抽出したデータ（診療報酬点数及び一部負担金）を請求書用にフォーマット（コード）を変換する（ステップＳ１１１）。そして、前記患者が今回のほかに、同月に１回以上の受診を受けている場合、算定結果履歴テーブルから前回までに処理された請求書データを抽出する（ステップＳ１１２）。続いて、前記ステップＳ１１１でコード変換したデータを１月分の請求とし、前記ステップＳ１１２で抽出した請求書データとの差分を算出する（ステップＳ１１３）。そして、算出した結果を今回の請求書データとして算定結果履歴テーブルに格納する（ステップＳ１１４）。
【００８１】
なお、前記会計処理が終了し、精算する場合には、図２に示す受付業務画面で、会計業務ボタンをクリックすることにより、図１８に示す会計予約画面を表示させる。ここで、会計ボタンをクリックすると、図１９に示すように、精算タブがクリックされた状態の精算画面に切り替わり、本日の精算項目が全て一覧表示される。また、画面右側には、全ての精算項目についての保険点数及び請求明細が表示され、前述のようにして処理された計算結果が、該当する項目にそれぞれ表示される。また、画面下方には、診察日、受付時間、診療科等の過去に請求し、患者から未収金の診療分を示す請求欄が表示され、その右側には、請求欄に表示された未収金分の請求金額と、今回預かった預かり金額と、その預かり金額に対するおつりがそれぞれ表示される。ここでは、未収金分の一部の支払いであっても対応することが可能となっている。この場合、おつりにはマイナス表示される。
【００８２】
会計カードタブをクリックすると、図２０に示すように、精算画面から会計カード画面に切り替わり、診療報酬点数を算出するために必要とされる項目の一覧表が本日の属する１月単位で表示される。表示された内容は、印刷ボタンをクリックすることにより印刷可能である。
【００８３】
また、精算が終了し、次回の診療予約を行う場合には、図２に示す受付業務画面で、予約ボタンをクリックすることにより、図２１に示す予約画面を表示させる。予約画面では、カレンダーが表示され、診察日毎に診察時間が４つの時間帯に分割され、診察のない時間帯を除いて色分け表示されている。但し、この時間帯の設定は自由に変更することができるようになっている。例えば、午前、午後の２つの時間帯に設定することも可能である。予約を希望する日付をクリックすると、予約状況がカレンダーの右側に一覧表示される。予約を希望する時間帯をクリックすると、予約受付画面がポップアップ表示されるので、登録ボタンをクリックして予約を完了することができる。
【００８４】
また、会計処理が終了し、作成した診療報酬明細書（レセプト）を出力する場合、次のようにしてコメントを追加することが可能である。
【００８５】
すなわち、図２３の処理フローに示すように、患者保険データ、患者病名データ、及び、患者会計データに基づいてレセプト作成処理により作成されたレセプトデータが記憶装置３に格納されているので、このレセプトデータを順次１つずつ読み込む。そして、定型文コメントマスタに自動作成可能なデータ（定型文自動作成データ）があるか否かを判断する。定型文自動作成データがあれば、定型文コメント情報と設定値の計算方法とを読み出し、レセプトデータとして格納し直す。これにより、自動的にコメントが入力される。
【００８６】
具体的に、図２４に示すレセプト作成画面で、一括作成ボタンを操作すると、表示された全て患者についてレセプトデータが作成され、定型文コメントの自動追加処理が行われる。コメント編集ボタンを操作すると、図２５に示すコメント編集用会計カード画面が開き、作成されたレセプトデータのほか、定型文コメントの自動追加処理の結果が表示される。自動追加された定型文コメントがあれば、他の項目と識別可能にバックカラーが緑色となる。
【００８７】
レセプトを請求する場合、任意ではあるが、全ての項目についてコメントを要求される。したがって、自動作成できないものについては、前記図２４に示すレセプト作成画面で、各項目（定型文項目）にカーソルを移動させてコメントを作成することができる。
【００８８】
すなわち、項目にカーソルを移動させると、定型文コメントマスタに設定値のみの入力で定型文を作成可能なデータ（定型文半自動作成データ）があるか否かが判断される。定型文半自動作成データがあれば、定型フォーマットの入力画面に入力事項が自動表示される。そこで、設定値を入力すれば、後は定型フォーマットに従って自動的にコメントが作成される。図２４では、小児特定疾患カウンセリング料について、設定値として日付（○月及び○日）を入力すると、コメントとして小児特定第１回カウンセリング○月○日が自動作成されることになる。また、定型文コメントマスタに、定型文自動作成データ及び定型文半自動作成データのいずれもが用意されていなければ、フリーフォーマット画面が表示される。そこで、このフリーフォーマット画面で、キーボード等を使用して任意に入力することが可能である。但し、このようにして、定型文半自動作成データに基づいて、あるいは、フリーフォーマット画面で作成されたコメントは、自動作成されたものとは識別可能となるようにバックカラーが青色となる。
【図面の簡単な説明】
【００８９】
【図１】本実施形態に係る医療用事務処理装置の構成を示すブロック図である。
【図２】図１の表示装置に初期画面として表示される受付業務画面である。
【図３Ａ】図２の画面で、新患受付ボタンを操作することにより表示される患者保険情報登録画面を示す図である。
【図３Ｂ】図３Ａの画面で、保険者情報が登録されていないと判断された場合に表示される保険マスタ登録画面を示す図である。
【図３Ｃ】図３Ａの患者保険情報登録画面での入力が完了することにより表示される診察情報登録画面を示す図である。
【図３Ｄ】図２の画面で、新予約ボタンを操作することにより表示される予約会計画面を示す図である。
【図３Ｅ】図２の画面で、診察情報入力ボタンを操作することにより表示される診察情報登録画面を示す図である。
【図３Ｆ】図２の画面で、調査ボタンを操作することにより表示される調査画面を示す図である。
【図３Ｇ】図２の画面で、カルテ参照ボタンを操作することにより表示されるカルテ参照画面を示す図である。
【図３Ｈ】指導料算定マスタに登録されたデータの一部を示す図である。
【図４】図２の画面で、患者ＩＤボタンをクリックすることにより表示される患者ＩＤ検索画面である。
【図５】会計業務を示すフローチャートである。
【図６】図５のコード変換処理を示すフローチャートである。
【図７Ａ】図５のレセプト算定ロジックを示すフローチャートである。
【図７Ｂ】指導料計算を示す処理フロー図である。
【図７Ｃ】図２Ｆに示す診察情報登録画面の優先算定指導管理料欄をプルダウン表示させた状態を示す図である。
【図７Ｄ】電子カルテ用端末に表示されるカルテ診察画面を示す図である。
【図８】図５の一部負担金作成処理を示すフローチャートである。
【図９】図５の請求書データ作成処理を示すフローチャートである。
【図１０】図７のレセプト算定ロジックの診療報酬点数算定処理で行う投薬量計算処理を示すフローチャートである。
【図１１】図１０の投薬量計算処理で行う薬剤料計算処理を示すフローチャートである。
【図１２】図１０の投薬量計算処理で行う薬剤料点数計算を示すフローチャートである。
【図１３】図１０の投薬量計算処理で行う内服薬種類数計算を示すフローチャートである。
【図１４】図１０の投薬量計算処理で行う逓減点数計算を示すフローチャートである。
【図１５】図７のレセプト算定ロジックの診療報酬点数算定処理で行う注射料計算処理を示すフローチャートである。
【図１６】図１５の注射料計算処理で行う手技料計算処理を示すフローチャートである。
【図１７】図１５の注射料計算処理で行う点滴手技料計算処理を示すフローチャートである。
【図１８】図２に示す受付業務画面で、会計業務ボタンをクリックすることにより表示される会計予約画面である。
【図１９】図１８に示す会計予約画面で、会計ボタンをクリックすることにより表示される精算画面である。
【図２０】図１９に示す精算画面で、会計カードタブをクリックすることにより表示される診療報酬点数を算出するために必要とされる項目の一覧表である。
【図２１】図２に示す受付業務画面で、予約ボタンをクリックすることにより表示される予約画面である。
【図２２】公費マトリックスを示す図表である。
【図２３】コメント追加機能を示す処理フロー図である。
【図２４】レセプト作成画面を示す図である。
【図２５】図２４に示すレセプト作成画面で、コメント編集ボタンを操作することにより表示されるコメント編集用会計カード画面を示す図である。
【符号の説明】
【００９０】
１…表示装置
２…入力装置
３…記憶装置
４…中央処理装置（ＣＰＵ）
１０…業務メニューバー
１１…機能メニューバー
１２…患者ＩＤ入力エリア
１３…受付患者リスト
１４…患者お知らせリスト
１５…患者お知らせ情報詳細リスト
１６…患者予約情報カレンダー
１７…業務お知らせパネル
１８…ステータスバー
【図１】
2005292917.tif 000005
【図３Ｈ】
2005292917.tif 000006
【図５】
2005292917.tif 000007
【図６】
2005292917.tif 000008
【図７Ａ】
2005292917.tif 000009
【図７Ｂ】
2005292917.tif 000010
【図８】
2005292917.tif 000011
【図９】
2005292917.tif 000012
【図１０】
2005292917.tif 000013
【図１１】
2005292917.tif 000014
【図１２】
2005292917.tif 000015
【図１３】
2005292917.tif 000016
【図１４】
2005292917.tif 000017
【図１５】
2005292917.tif 000018
【図１６】
2005292917.tif 000019
【図１７】
2005292917.tif 000020
【図２２】
2005292917.tif 000021
【図２３】
2005292917.tif 000022
【図２】
2005292917.tif 000023
【図３Ａ】
2005292917.tif 000024
【図３Ｂ】
2005292917.tif 000025
【図３Ｃ】
2005292917.tif 000026
【図３Ｄ】
2005292917.tif 000027
【図３Ｅ】
2005292917.tif 000028
【図３Ｆ】
2005292917.tif 000029
【図３Ｇ】
2005292917.tif 000030
【図４】
2005292917.tif 000031
【図７Ｃ】
2005292917.tif 000032
【図７Ｄ】
2005292917.tif 000033
【図１８】
2005292917.tif 000034
【図１９】
2005292917.tif 000035
【図２０】
2005292917.tif 000036
【図２１】
2005292917.tif 000037
【図２４】
2005292917.tif 000038
【図２５】
2005292917.tif 000039